(57)【要約】【課題】  高コントラストのプラズマディスプレイ装置の実現。【解決手段】  平行して交互に設けられ、近接する電極間で繰り返し放電を行う複数の第１及び第２電極X1,X2,Xn;Y1,Y2,Ynと、繰り返し放電を行う前記第１及び第２電極の間にそれぞれ設けられ、誘電体層で覆われた第３電極Z1,Z2,Znとを備えるプラズマディスプレイ装置であって、複数の第１電極を駆動する第１電極駆動回路5と、複数の第２電極を駆動する第２電極駆動回路3,4と、複数の第３電極を駆動する第３電極駆動回路6とを備え、第３電極駆動回路は、第１及び第２電極の間でリセット放電を行う時に、第３電極を、第１及び第２電極の間でのリセット放電における陰極となる電極に対して陽極となる電位にする。【選択図】      図５
2006098503.tif 000002
【特許請求の範囲】
【請求項１】
平行して交互に設けられ、近接する電極間で繰り返し放電を行う複数の第１及び第２電極と、
前記繰り返し放電を行う前記第１及び第２電極の間にそれぞれ設けられ、誘電体層で覆われた第３電極とを備えるプラズマディスプレイパネルの駆動方法であって、
前記第１及び第２電極の間で表示データにかかわらず、すべてのセルで放電するリセット放電を行う時に、前記第３電極を、前記第１及び第２電極の間での前記リセット放電における陰極となる電極に対して陽極となる電位にすることを特徴とするプラズマディスプレイパネルの駆動方法。
【請求項２】
前記リセット放電を行う時に、前記第３電極を、前記第１及び第２電極の間での前記リセット放電における陽極となる電極と略同電位にする請求項１に記載のプラズマディスプレイパネルの駆動方法。
【請求項３】
前記複数の第１及び第２電極は対をなし、前記第３電極は１対の前記第１電極と前記第２電極の間に設けられ、複数の前記第３電極には共通の電位が印加される請求項１に記載のプラズマディスプレイパネルの駆動方法。
【請求項４】
複数の前記第３電極は、前記複数の第１電極と前記複数の第２電極のすべての間に設けられ、
前記第２電極が一方に近接する前記第１電極との間で表示のための放電を行う奇数フィールドと、前記第２電極が他方に近接する前記第１電極との間で表示のための放電を行う偶数フィールドとを備え、
前記リセット放電を行う時に、複数の前記第３電極には共通の電位が印加される請求項１に記載のプラズマディスプレイパネルの駆動方法。
【請求項５】
前記第１電極と第２電極の間で繰り返し放電を行う期間において、前記放電する第１電極と第２電極の間に設けられた前記第３電極を、少なくとも放電期間中には、前記第１電極又は第２電極の陽極となる電極又は陰極となる電極と略同電位とし、放電がほぼ終了した以降は、他の極性の電極と略同電位とする請求項１に記載のプラズマディスプレイパネルの駆動方法。
【請求項６】
平行して交互に設けられ、近接する電極間で繰り返し放電を行う複数の第１及び第２電極と、
前記繰り返し放電を行う前記第１及び第２電極の間にそれぞれ設けられ、誘電体層で覆われた第３電極とを備えるプラズマディスプレイ装置であって、
前記複数の第１電極を駆動する第１電極駆動回路と、
前記複数の第２電極を駆動する第２電極駆動回路と、
前記複数の第３電極を駆動する第３電極駆動回路とを備え、
前記第３電極駆動回路は、前記第１及び第２電極の間で表示データにかかわらず、すべてのセルで放電するリセット放電を行う時に、前記第３電極を、前記第１及び第２電極の間での前記リセット放電における陰極となる電極に対して陽極となる電位にすることを特徴とするプラズマディスプレイ装置。
【請求項７】
前記第３電極駆動回路は、前記リセット放電を行う時に、前記第３電極を、前記第１及び第２電極の間での前記リセット放電における陽極となる電極と略同電位にする請求項６に記載のプラズマディスプレイ装置。
【請求項８】
前記複数の第１及び第２電極は対をなし、前記第３電極は１対の前記第１電極と前記第２電極の間に設けられ、
前記第３電極駆動回路は、複数の前記第３電極には共通の電位を印加する請求項６に記載のプラズマディスプレイ装置。
【請求項９】
複数の前記第３電極は、前記複数の第１電極と前記複数の第２電極のすべての間に設けられ、
前記第２電極が一方に隣接する前記第１電極との間で表示のための放電を行う奇数フィールドと、前記第２電極が他方に隣接する前記第１電極との間で表示のための放電を行う偶数フィールドとを備え、
前記第３電極駆動回路は、前記リセット放電を行う時、複数の前記第３電極に共通の電位を印加する請求項６に記載のプラズマディスプレイ装置。
【請求項１０】
前記第３電極駆動回路は、前記第１電極と第２電極の間で繰り返し放電を行う期間において、前記放電する第１電極と第２電極の間に設けられた前記第３電極を、少なくとも放電期間中には、前記第１電極又は第２電極の陽極となる電極又は陰極となる電極と略同電位とし、放電がほぼ終了した以降は、他の極性の電極と略同電位とする請求項６に記載のプラズマディスプレイ装置。
【発明の詳細な説明】
【技術分野】
【０００１】
本発明は、パーソナルコンピュータやワークステーションなどのディスプレイ装置、平面型テレビジョン、広告や情報などの表示用プラズマディスプレイに使用されるＡ／Ｃ型プラズマディスプレイパネル（ＰＤＰ）に関する。
【背景技術】
【０００２】
ＡＣ型カラーＰＤＰ装置においては、表示するセルを規定する期間（アドレス期間）と表示点灯のための放電を行う表示期間（サステイン期間）とを分離したアドレス・表示分離（ＡＤＳ）方式が広く採用されている。この方式においては、アドレス期間で、点灯するセルに電荷を蓄積し、その電荷を利用してサステイン期間で表示のための放電を行う。
【０００３】
また、プラズマディスプレイパネルには、第１の方向に伸びる複数の第１電極を互いに平行に設け、第１の方向に対して垂直な第２の方向に伸びる複数の第２電極を互いに平行に設けた２電極型ＰＤＰと、第１の方向に伸びる複数の第１電極と第２電極を交互に平行に設け、第１の方向に対して垂直な第２の方向に伸びる複数のアドレス電極を互いに平行に設けた３電極型ＰＤＰとがあり、近年は３電極型ＰＤＰが広く使用されている。
【０００４】
この３電極型ＰＤＰの一般的な構造は、第１の基板に第１（Ｘ）電極と第２（Ｙ）電極を交互に平行に設け、第１の基板に対向する第２の基板に第１及び第２電極に垂直な方向に伸びるアドレス電極を設け、電極表面をそれぞれ誘電体層で覆う。第２の基板上には更に、第３電極の間に第３電極と平行に伸びる１方向のストライプ状の隔壁、又はセルを各々分離するようにアドレス電極及び第１と第２電極と平行配置される２次元格子状の隔壁を設け、隔壁の間に蛍光体層を形成した後、第１と第２基板を貼り合せる。従って、第３電極の上には誘電体層と蛍光体層、さらに隔壁が形成される場合もある。
【０００５】
第１と第２電極の間に電圧を印加して全セルでリセット放電を発生させ、電極近傍の電荷（壁電荷）を一様な状態にした後、第２電極にスキャンパルスを順次印加し、スキャンパルスに同期してアドレス電極にアドレスパルスを印加して、点灯するセル内に選択的に壁電荷を残すアドレス動作を行った後、放電する第１及び第２の隣接２電極間に交互に逆極性の電圧となる維持放電パルスを印加してアドレス動作により壁電荷の形成された点灯セルで維持放電を発生させて点灯を行う。蛍光体層は、放電により発生する紫外線により発光し、それを第１基板を通して見る。そのため、第１及び第２電極は、金属材料で形成された不透明なバス電極と、ＩＴＯ膜などの透明電極で形成され、透明電極を通して蛍光体層で発生した光を見れるようになっている。一般的なＰＤＰの構造及び動作は広く知られているので、ここでは詳しい説明を省略する。
【０００６】
上記のような３電極型ＰＤＰにおいて、リセット放電は全セルで起こされ、表示に関係しない放電である。そのため、リセット放電による発光は背景発光となり、表示コントラストを低下させるという問題がある。そこで、リセット放電の強度を低下させて背景発光を低減する各種の方法が提案されている。
【０００７】
例えば、特許文献１及び特許文献２は、放電を行わない第１電極と第２電極の間（非表示ライン）に設けた第３の電極を利用してリセット放電を行い、背景発光を低減することを記載している。なお、特許文献１及び特許文献２は、トリガ動作、非表示ラインでの放電防止（逆スリット防止）などに第３電極を利用する構成も記載している。
【０００８】
また、放電を行う第１電極と第２電極の間（表示ライン）に第３の電極を設ける構成は、特許文献３から５などに記載されている。例えば、特許文献３は、第１電極と第２電極の間に平行に第３電極を設けたＰＤＰを使用した非アドレス・表示分離（非ＡＤＳ）方式のＰＤＰ装置を記載している。
【０００９】
また、特許文献４は、第１電極と第３電極間及び第２電極と第３電極間の表示ラインを利用してインターレース表示を行うＰＤＰ装置を記載している。
【００１０】
更に、特許文献５は、第１電極と第２電極の間に平行に第３電極を設けた各種のＰＤＰ、及び第３電極を各種の用途に使用する構成を記載している。
【００１１】
但し、特許文献３〜５は、リセット放電による背景発光の低減については記載していな。
【００１２】
【特許文献１】特開２００１−３４２２８号公報
【特許文献２】特開２００４−１９２８７５号公報
【特許文献３】特開平６−２６００９２号公報
【特許文献４】特開２０００−１２３７４１号公報
【特許文献５】特開２００２−１１００４７号公報
【特許文献６】特許第２８０１８９３号公報
【発明の開示】
【発明が解決しようとする課題】
【００１３】
上記のように、ＰＤＰ装置では、リセット放電による背景発光を低減して表示コントラストを向上することが望まれている。特許文献１及び２は、非表示ラインに設けた第３の電極を利用してリセット放電を行い、背景発光を低減することを記載しているが、表示ラインではリセット放電が発生しないため、セル内の壁電荷の状態を十分に均一にできないという問題がある。
【００１４】
また、特許文献６に記載されたＡＬＩＳ方式のＰＤＰ装置は、第１（Ｘ）電極と第２（Ｙ）電極のすべての間を表示ラインとして利用するため非表示ラインが存在せず、特許文献１及び２に記載された構成は適用できないという問題がある。
【００１５】
本発明は、従来技術とまったく異なる原理でリセット放電による背景発光を低減させる新しいプラズマディスプレイパネルの駆動方法及びプラズマディスプレイ装置の実現を目的とする。
【課題を解決するための手段】
【００１６】
上記目的を実現するため、本発明のプラズマディスプレイパネル（ＰＤＰ）の駆動方法は、３電極型のＰＤＰにおいて、放電を行う第１（Ｘ）電極と第２（Ｙ）電極の間に第３電極（Ｚ）電極を設け、リセット放電を行う時に、第３電極を、第１及び第２電極の間でのリセット放電における陰極となる電極に対して陽極となる電位にする。
【００１７】
すなわち、本発明のプラズマディスプレイパネル（ＰＤＰ）の駆動方法は、平行して交互に設けられ、近接する電極間で繰り返し放電を行う複数の第１及び第２電極と、前記繰り返し放電を行う前記第１及び第２電極の間にそれぞれ設けられ、誘電体層で覆われた第３電極とを備えるプラズマディスプレイパネルの駆動方法であって、前記第１及び第２電極の間で表示データにかかわらず、すべてのセルで放電が発生するリセット放電を行う時に、前記第３電極を、前記第１及び第２電極の間での前記リセット放電における陰極となる電極に対して陽極となる電位にすることを特徴とする。
【００１８】
ＰＤＰでは、第１及び第２電極を、平行に伸びる第１及び第２バス電極と、セル毎に第１及び第２バス電極に接続されるように設けられた透明な第１及び第２放電電極で構成していた。リセット期間中には、第１電極と第２電極の間に大きな電圧を印加して、壁電荷の状態にかかわらず、全セルでリセット放電を発生させる。従来は、例えば、第１電極に負の電位を、第２電極に正の電位を印加し、第１電極を陰極、第２電極を陽極としてリセット放電を発生させていた。また、維持放電期間中には、第１及び第２電極に交互に極性を変えた維持放電パルスを印加して繰り返し維持放電を発生させる。言い換えれば、第１電極は交互に陽極と陰極になり、同様に第２電極も交互に陰極と陽極になる。これまでのＰＤＰでは、維持放電の対称性を考慮して、第１放電電極と第２放電電極は、同じ形状としていた。
【００１９】
本願発明者は、放電における陽極と陰極の面積比と発光量の関係について実験を行い、陰極の面積が陽極の面積より大きい場合に、発光量が大きくなることを発見した。具体的には、陰極の放電領域と陽極の放電領域の面積比を３：１とした場合と、１：３とした場合で、陰極が大きい場合の方が約１．５倍の可視光が出力された。従って、放電において、陰極は陽極より発光量が約２倍良好であると考えられる。逆にいえば、陽極の面積を広くすれば、発光量が低下する。
【００２０】
そこで、本発明では、リセット放電において、第３電極を、第１及び第２電極の間でのリセット放電における陰極となる電極に対して陽極となる電位にすることにより、第３電極を陽極として動作させる。これにより、例えば、第１（Ｘ）電極が陰極で、第２（Ｙ）電極が陽極でリセット放電が行われる場合には、第２（Ｙ）電極と第３（Ｚ）電極を合わせた広い領域を陽極として低い発光量での放電が行われることになり、リセット放電による背景発光が低減できる。
【００２１】
リセット期間以外のアドレス期間及び維持放電期間では、例えば、第３（Ｚ）電極に第１（Ｘ）電極と同じ電位を印加して、第１（Ｘ）電極として動作させる。これにより、維持放電期間の最初は、第３（Ｚ）電極は陽極となるが、その後は陽極としても陰極としても動作することができる。また、維持放電期間において、第３（Ｚ）電極が常に陰極として動作するように駆動すれば、維持放電の発光量を向上させて、表示輝度を向上させることができる。
【００２２】
本発明は、第１及び第２電極が対をなし、対をなす第１及び第２電極の間で維持放電が行われる通常型のプラズマディスプレイパネル（ＰＤＰ）の駆動方法にも、複数の第１及び第２電極のすべての間で維持放電が行われる特許文献６に記載されたＡＬＩＳ方式のＰＤＰの駆動方法にも適用可能である。本発明を通常型のＰＤＰの駆動方法に適用する場合には、複数の第３電極には共通の電位を印加する。
【００２３】
本発明をＡＬＩＳ方式のＰＤＰの駆動方法に適用する場合には、第１電極と第２電極のすべての間に第３（Ｚ）電極を設ける。リセット放電が行われる時には、すべての第３電極に共通の電位を印加すればよいが、アドレス期間と維持放電期間には、第３電極を４つのグループに分けてそれぞれ独立に電位を印加できるようにする必要がある。
【発明の効果】
【００２４】
本発明によれば、リセット放電による背景発光を低減して高コントラスト表示のプラズマディスプレイパネルの駆動方法及びプラズマディスプレイ装置が実現できる。
【発明を実施するための最良の形態】
【００２５】
図１は、本発明の第１実施例のプラズマディスプレイ装置（ＰＤＰ装置）の全体構成を示す図である。第１実施例のＰＤＰ装置で使用するＰＤＰ１は、１対の第１（Ｘ）電極と第２（Ｙ）電極の間で放電を行う従来型のＰＤＰに本発明を適用したものである。図１に示すように、第１実施例のＰＤＰ１は、横方向に伸びるＸ電極Ｘ１、Ｘ２、…ＸｎとＹ電極Ｙ１、Ｙ２、…、Ｙｎが交互に配置され、各対のＸ電極とＹ電極の間に第３電極Ｚ１、Ｚ２、…、Ｚｎが配置される。従って、Ｘ電極、Ｙ電極及びＺ電極の３本の電極の組みがｎ組み形成される。また、縦方向に伸びるアドレス電極Ａ１、Ａ２、…、Ａｍが、ｎ組のＸ電極、Ｙ電極及びＺ電極と交差するように配置され、交差部分にセルが形成される。従って、ｎ本の表示行とｍ本の表示列が形成される。
【００２６】
図１に示すように、第１実施例のＰＤＰ装置は、ｍ本のアドレス電極を駆動するアドレス駆動回路２と、ｎ本のＹ電極に走査パルスを印加する走査回路３と、走査回路３を介してｎ本のＹ電極に走査パルス以外の電圧を共通に印加するＹ駆動回路４と、ｎ本のＸ電極に電圧を共通に印加するＸ駆動回路５と、ｎ本のＺ電極に電圧を共通に印加するＺ駆動回路６と、各部を制御する制御回路７とを有する。第１実施例のＰＤＰ装置は、ＰＤＰ１にＺ電極を設けた点及びそれを駆動するＺ駆動回路６を設けた点が従来例と異なり、他の部分は従来例と同じであるので、ここではＺ電極に関係する部分のみを説明し、他の部分の説明は省略する。
【００２７】
図２は、第１実施例のＰＤＰの分解斜視図である。図示のように、前面（第１）ガラス基板１１の上には、横方向に伸びる第１（Ｘ）バス電極１２及び第２（Ｙ）バス電極１４が交互に平行に配置されて対をなしている。Ｘ及びＹ光透過性電極（放電電極）１１及び１３が、Ｘ及びＹバス電極１２、１４に重なるように設けられ、Ｘ及びＹ放電電極１１及び１３の一部が、対向する電極の方に広がっている。１対のＸ及びＹバス電極１２、１４の間には、第３放電電極１６と第３バス電極１７が重なるように設けられている。例えば、バス電極１３、１５及び１７は金属層で形成され、放電電極１１、１３及び１６はＩＴＯ層膜などで形成され、バス電極１３、１５及び１７の抵抗値は放電電極１１、１３及び１６の抵抗値よりも低いか又は同等である。以下、Ｘ及びＹ放電電極１１及び１３のＸ及びＹバス電極１２、１４から伸びた部分を、単にＸ及びＹ放電電極１１及び１３と称し、Ｚ放電電極１６のＺバス電極１７から伸びた部分を、単にＺ放電電極１６と称する。
【００２８】
放電電極１１、１３及び１６、及びバス電極１２、１４及び１７の上には、これらの電極を覆うように誘電体層１８が形成されている。この誘電体層１８は、可視光を透過するＳｉＯ2などで構成され、更にその上にＭｇＯなどの保護層１９が形成される。この保護層１９は、イオン衝撃により電子を放出して放電を成長させ、放電電圧の低減、放電遅れの低減などの効果を有する、この構造では、すべての電極がこの保護層１９に覆われているため、どの電極群が陰極になっても保護層の効果を利用した放電が可能となる。以上のような構成のガラス基板１１を前面基板として利用し、ガラス基板１１を通して表示を見る。
【００２９】
一方、背面（第２）基板２０の上には、バス電極１３、１５及び１７と交差するようにアドレス電極２１が設けられている。例えば、アドレス電極２１は金属層で形成される。アドレス電極群の上には、誘電体層２２が形成される。その上には、縦方向隔壁２３が形成されている。そして、隔壁２３と誘電体層２２で形成される溝の側面と底面には、放電時に発生する紫外線で励起され、赤、緑及び青の可視光を発生する蛍光体層２４、２５、２６が塗布されている。
【００３０】
図３は、第１実施例のＰＤＰの部分断面図であり、（Ａ）は縦方向の断面図、（Ｂ）は横方向の断面図である。隔壁２３で区切られる前面基板１１と背面基板２０の間の放電空間２７にはＮｅ、Ｘｅ、Ｈｅなどの放電ガスが封入されている。
【００３１】
図４は、上下２個のセルの電極形状を示す図である。図示のように、Ｘバス電極１３とＹバス電極１５が平行に配置され、その中央にＺバス電極１７が平行に配置されている。そして、バス電極１３、１５及び１７に対して垂直な方向に伸びる隔壁２３が配置されている。隔壁２３の間にはアドレス電極２１が配置される。隔壁２３で区切られた各部分には、Ｘバス電極１３から伸びたＴ字形のＸ放電電極１２と、Ｙバス電極１５から伸びたＴ字形のＹ放電電極１４と、Ｚバス電極１７から上下両側に伸びたＺ放電電極１６が設けられている。Ｘ放電電極１２とＺ放電電極１６の対向するエッジ及びＹ放電電極１４とＺ放電電極１６の対向するエッジは、バス電極１３、１５及び１７の伸びる方向に対して平行で、間隔は一定である。
【００３２】
次に、第１実施例のＰＤＰ装置の動作を説明する。ＰＤＰの各セルは、点灯・非点灯のみが選択できるだけであり、点灯輝度を変化させる、すなわち階調を表示することができない。そこで、１フレームを所定の明るさの重み付けをした複数のサブフィールドに分割し、各セル毎に１フレームで点灯するサブフィールドを組み合わせることにより階調表示を行う。各サブフィールドは、維持放電の回数を除けば、通常同じ駆動シーケンスを有する。
【００３３】
図５は、第１実施例のＰＤＰ装置の１サブフィールドの駆動波形を示す図であり、図６は維持放電期間の駆動波形の詳細を示す図である。
【００３４】
リセット期間の前半には、アドレス電極Ａに０Ｖを印加した状態で、Ｘ電極に徐々に電位が低下した後一定電位になる負のリセットパルス１０１を印加し、Ｙ電極に所定の電位を印加した後徐々に電位が増加する正のリセットパルス１０３を印加する。そして、Ｚ電極には＋Ｖｓの電位１０５を印加する。これにより、全セルで、Ｘ放電電極１２を陰極、Ｙ放電電極１４を陽極とする放電が発生する。ここで印加されるのは、電位が徐々に変化する鈍波であるため、微弱な放電と電荷形成を繰返し、全セル一様に壁電荷を形成する。この時、Ｚ電極には電位＋Ｖｓが印加されており、Ｙ電極に印加される電位よりは低いが、Ｚ放電電極１６とＸ放電電極１２の間隔は、Ｙ放電電極１４とＸ放電電極１２の間隔より狭いので、Ｘ放電電極１２を陰極、Ｚ放電電極１６を陽極とする放電が発生する。このように、リセット放電は、Ｘ放電電極１２を陰極、Ｙ放電電極１４及びＺ放電電極１６を陽極とする放電であり、陽極の面積が陰極の面積に比べて大きいので、発光量が少なく、背景発光が少ない。このようなリセット放電により、Ｘ放電電極の近傍に正の壁電荷が、Ｙ放電電極及びＺ放電電極の近傍に負の壁電荷が形成される。
【００３５】
次のアドレス期間の後半では、Ｘ電極に正の補償電位１０４（例えば＋Ｖｓ）を、Ｚ電極にそのまま電位＋Ｖｓを印加し、Ｙ電極に徐々に電位が低下する補償鈍波１０６を印加することにより、上記のように形成された壁電荷とは逆極性の電位が鈍波で印加されるため、微弱な放電により、セル内の壁電荷が減少する。この放電は、Ｘ電極及びＺ電極の電位はＹ電極の電位より高いので、Ｘ放電電極１２及びＺ放電電極１６を陽極とし、Ｙ放電電極１４を陰極とする放電であり、陽極の面積が陰極の面積に比べて大きいので、発光量が少なく、背景発光が少ない。以上で、リセット期間が終了し、全セルは均一な電荷状態になる。
【００３６】
以上のように、本実施例のＰＤＰにおけるリセット放電は、背景発光が少ないので、表示コントラストが向上する。
【００３７】
次のアドレス期間では、Ｘ電極及びＺ電極にそのまま補償電位１０４及び電位１０５を印加して、Ｙ電極に所定の負電位を印加した状態で更に走査パルス１０７を順次印加する。走査パルス１０７の印加に応じて、点灯するセルのアドレス電極にアドレスパルス１０８を印加する。これにより、走査パルスの印加されたＹ電極とアドレスパルスの印加されたアドレス電極の間で放電が発生し、それをトリガとしてＸ放電電極及びＺ放電電極とＹ放電電極との間の放電が発生する。このアドレス放電により、Ｘ放電電極及びＺ放電電極の近傍（誘電体層の表面）には負の壁電荷が形成され、Ｙ放電電極の近傍には正の壁電荷が形成される。走査パルス又はアドレスパルスの印加されないセルではアドレス放電は発生しないので、リセット時の壁電荷が維持される。アドレス期間では、すべてのＹ電極に順次走査パルスを印加して上記の動作を行い、パネル全面の点灯するセルでアドレス放電を発生させる。
【００３８】
なお、アドレス期間の最後には、アドレス放電を発生させなかったセルにおいて、リセット期間に形成された壁電荷を調整するパルスを印加する場合もある。
【００３９】
維持放電期間では、Ｚ電極にはＸ電極と同じ駆動波形を印加する。従って、Ｚ放電電極は、Ｘ放電電極と同じ動作を行い、広い面積のＸ放電電極を設けた場合の動作になる。まず、Ｘ電極及びＺ電極に電位−Ｖｓの負の維持放電パルス１０９、１１０を、Ｙ電極に電位＋Ｖｓの正の維持放電パルス１１１を印加する。アドレス放電が行われたセルでは、Ｙ放電電極の近傍に形成された正の壁電荷による電圧が電位＋Ｖｓに重畳され、Ｘ放電電極及びＺ放電電極の近傍に形成された負の壁電荷による電圧が電位−Ｖｓに重畳される。これにより、Ｘ放電電極及びＺ放電電極とＹ放電電極の間の電圧が放電開始電圧を超え、まず間隔の狭いＺ放電電極とＹ放電電極の間で放電が開始され、この放電をトリガとして、間隔の広いＸ放電電極とＹ放電電極の間の放電に移行する。Ｘ放電電極とＹ放電電極の間の放電は長距離放電であり、発光効率のよい放電である。この放電が終了すると、Ｘ放電電極及びＺ放電電極の近傍に正の壁電荷が形成され、Ｙ放電電極の近傍に負の壁電荷が形成される。
【００４０】
次に、Ｘ電極及びＺ電極に電位＋Ｖｓの正負の維持放電パルス１１２、１１３を、Ｙ電極に電位−Ｖｓの負の維持放電パルス１１４を印加する。１回目の維持放電が行われたセルでは、Ｘ放電電極及びＺ放電電極の近傍に形成された正の壁電荷による電圧が電位＋Ｖｓに重畳され、Ｙ放電電極の近傍に形成された負の壁電荷による電圧が電位−Ｖｓに重畳される。これにより、Ｘ放電電極及びＺ放電電極とＹ放電電極の間の電圧が放電開始電圧を超え、Ｘ放電電極及びＺ放電電極とＹ電極の間で２回目の維持放電が発生する。この２回目の維持放電が終了すると、Ｘ放電電極及びＺ放電電極の近傍に負の壁電荷が形成され、Ｙ放電電極の近傍に正の壁電荷が形成される。
【００４１】
以下、同様にＸ電極及びＺ電極とＹ電極に極性を交互に変えた維持放電パルスを印加することにより、維持放電が繰り返し行われる。
【００４２】
以上本発明の第１実施例を説明したが、電極の構造や形状などについて各種の変形例があり得る。
【００４３】
図６は、電極構造の変形例を示す図である。第１実施例では、図３の（Ａ）に示したように、Ｚ電極（Ｚ放電電極１６、Ｚバス電極１７）は、Ｘ電極（Ｘ放電電極１２、Ｘバス電極１３）及びＹ電極（Ｙ放電電極１４、Ｙバス電極１５）と同じ層に形成された。これであれば、Ｚ電極をＸ電極及びＹ電極と同じプロセスで形成でき、Ｚ電極を設けるために新たにプロセスを増加させる必要はない。しかし、Ｘ放電電極１２とＹ放電電極１４の間にＺ電極を設けるため、製造時の位置や線幅のバラツキのために、Ｚ電極がＸ放電電極１２とＹ放電電極１４と短絡して歩留まりを低下させるという問題を生じる。そこで、図６の変形例では、Ｘ電極（Ｘ放電電極１２、Ｘバス電極１３）及びＹ電極（Ｙ放電電極１４、Ｙバス電極１５）を覆う誘電体層１８の上に、Ｚ電極（Ｚ放電電極１６、Ｚバス電極１７）を形成し、その上を誘電体層２８で覆う。このような構造でも、第１実施例と同じ動作が可能である。
【００４４】
図６の変形例は、第１実施例に比べて、Ｚ電極を設けるためのプロセスが増加するので製造コストが増加するという問題があるが、Ｚ電極がＸ電極及びＹ電極と異なる層に形成されるため、Ｚ電極がＸ放電電極１２及びＹ放電電極１４を短絡することはなく、短絡による歩留まりの低下は発生しない。また、異なる層に設けられるので、基板に垂直な方向から見た時に、Ｚ電極とＸ放電電極１２及びＹ放電電極１４の間隔を非常に狭くでき、放電開始電圧が最小になるパッシェンミニマムに相当する間隔にすることも可能である。
【００４５】
また、図４に示したように、Ｘ放電電極１２及びＹ放電電極１４は、各セル毎にＴ字形の形状を有し、隣接するセルの放電電極とは独立しているが、Ｘ及びＹ放電電極をＸ及びＹバス電極と平行に設け、隔壁部分にＸ及びＹバス電極とＸ及びＹ放電電極を接続する電極を設ける従来の電極形状を使用することも可能である。
【００４６】
図７は、本発明の第２実施例のＰＤＰ装置の駆動波形を示す図である。第２実施例のＰＤＰ装置は、第１実施例のＰＤＰ装置を類似の構成を有し、リセット期間及び維持放電期間にＺ電極に印加する駆動波形が、第１実施例と異なる。また、図８は、維持放電期間の駆動波形の詳細を示す図である。
【００４７】
図７に示すように、第２実施例のリセット期間の前半では、所定の電位を印加した後徐々に電位が増加する正のリセットパルス１０３を、Ｙ電極と共にＺ電極にも印加する。更に、リセット期間の後半では、第１実施例と同様に、Ｚ電極に電位＋Ｖｓを印加する。これにより、リセット期間中、Ｚ電極には、Ｘ電極及びＹ電極に印加される電位のうち高い方の電位が印加されることになり、Ｚ電極を常に陽極とするリセット放電が発生する。従って、第２実施例におけるＺ電極は、リセット放電において、第１実施例以上に、主たる陽極として動作することになり、リセット放電の発光量が一層低下して背景発光を低減できる。
【００４８】
また、第２実施例の維持放電期間においては、Ｘ電極に電位−Ｖｓの負の維持放電パルス１０９を、Ｚ電極に電位−Ｖｓの負のパルス１２１を、Ｙ電極に電位＋Ｖｓの正の維持放電パルス１１１を印加する。アドレス放電が行われたセルでは、Ｙ電極の近傍に形成された正の壁電荷による電圧が電位＋Ｖｓに重畳され、Ｘ電極及びＺ電極の近傍に形成された負の壁電荷による電圧が電位−Ｖｓに重畳される。これにより、Ｘ電極及びＺ電極とＹ電極の間の電圧が放電開始電圧を超え、まず間隔の狭いＺ放電電極とＹ放電電極の間で放電が開始され、この放電をトリガとして、間隔の広いＸ電極とＹ電極の間の放電に移行する。Ｘ電極とＹ電極の間の放電は長距離放電であり、発光効率のよい放電である。
【００４９】
図８に示すように、この放電は、Ｘ及びＺ電極に−Ｖｓが、Ｙ電極に＋Ｖｓが印加されると発生し（実際には、電位の印加から若干遅れて発生し）、ある時間後に放電強度がピーク値になり、その後放電強度が減衰する。第２実施例では、放電強度が十分に減衰した時に、Ｚ電極に電位＋Ｖｓの正のパルス１２２を印加する。Ｘ電極及びＺ電極近傍の負の壁電荷及びＹ電極近傍の正の壁電荷は上記の放電で消滅しており、また放電により発生した正の電荷はＸ電極及びＺ電極の近傍に、負の電荷はＹ電極の近傍に移動するが、まだ十分な壁電荷は形成されていない。しかもＺ電極の近傍の電荷による電圧はＺ電極の電位を増加させるが、Ｘ電極及びＹ電極の近傍の電荷による電圧はＸ電極の電位を上昇させ、Ｙ電極の電位を減少させるので、パルス１２２を印加してもＸ電極とＺ電極の間及びＹ電極とＺ電極の間で放電は発生しない。Ｚ電極に電位＋Ｖｓを印加することにより、Ｚ電極の近傍の正の電荷はＺ電極の直ぐ上の誘電体層上には蓄積せず、逆に負の電荷がＺ電極の直ぐ上の誘電体層上に移動して負の壁電荷が形成される。Ｘ電極の直ぐ上の誘電体層上には正の壁電荷が、Ｙ電極の直ぐ上の誘電体層上には負の壁電荷が形成される。
【００５０】
Ｚ電極に電位＋Ｖｓの正のパルス１２２を印加するタイミングは、次のように決定した。放電により紫外線が発生し、紫外線が蛍光体を励起して可視光を発生し、ガラス基板を通してパネル外に出力される。紫外線はガラス基板に吸収されるため外部には出力されず、パネルの外で紫外線を検出することはできない。放電により紫外線と共に赤外光も発生し、紫外線と赤外光の発生は対応している。そこで、赤外光を測定することにより、放電の状態変化を検出できる。図８の放電の強度は、赤外光を測定したものである。ここでは、赤外光の強度がピーク値の１０％になった時にパルス１２２の印加を開始するようにした。
【００５１】
上記のように、Ｙ電極及びＺ電極の近傍には負の壁電荷が形成され、Ｘ電極の近傍には正の壁電荷が形成される。次に、Ｘ電極に電位＋Ｖｓのパルス１１２を、Ｙ電極に電位−Ｖｓのパルス１１４を、Ｚ電極に電位−Ｖｓのパルス１２３を印加すると、Ｘ電極とＹ電極及びＺ電極間の電圧は、壁電荷による電圧が重畳されて放電開始電圧を超える。これにより、まず間隔の狭いＺ放電電極とＸ放電電極の間で放電が開始され、この放電をトリガとして、間隔の広いＸ電極とＹ電極の間の放電に移行する。この放電はＺ電極を陰極とする放電である。そして、放電強度が十分に減衰した時に、Ｚ電極に電位−Ｖｓの負のパルス１２４を印加する。これにより、Ｘ電極及びＺ電極の近傍には負の壁電荷が形成され、Ｙ電極の近傍には正の壁電荷が形成される。以下同様に、Ｘ電極とＹ電極に極性を交互に変えた維持放電パルスを印加し、維持放電パルスの２倍の周波数のパルスをＺ電極に印加することにより、Ｚ電極を常に陰極とする維持放電が繰り返し行われる。
【００５２】
図９は、本発明の第３実施例のＰＤＰ装置の全体構成を示す図である。第３実施例は、本発明を特許文献６に記載されたＡＬＩＳ方式のＰＤＰ装置に適用した例であり、第１及び第２電極（Ｘ及びＹ電極）を第１基板（透明基板）に設け、アドレス電極を第２基板（背面基板）に設けた構成において、Ｘ電極とＹ電極の間に第３電極（Ｚ電極）を設けた場合の例である。ＡＬＩＳ方式については、特許文献６に記載されているので、ここでは詳しい説明を省略する。
【００５３】
図９に示すように、プラズマディスプレイパネル１は、横方向（長手方向）に伸びる複数の第１電極（Ｘ電極）及び第２電極（Ｙ電極）を有する。複数のＸ電極とＹ電極は、交互に配置され、Ｘ電極の本数がＹ電極の本数より１本多い。Ｘ電極とＹ電極の間には、第３電極（Ｚ電極）が配置される。従って、Ｚ電極の本数は、Ｙ電極の２倍である。アドレス電極は、Ｘ、Ｙ及びＺ電極に対して垂直な方向に伸びる。ＡＬＩＳ方式では、Ｘ電極とＹ電極のすべての間が表示ラインとして利用され、奇数番目の表示ラインと偶数番目の表示ラインがインターレース表示される。言い換えれば、奇数番目のＸ電極と奇数番目のＹ電極の間及び偶数番目のＸ電極と偶数番目のＹ電極の間に奇数表示ラインが形成され、奇数番目のＹ電極と偶数番目のＸ電極との間及び偶数番目のＹ電極と奇数番目のＹ電極の間に偶数表示ラインが形成される。１表示フィールドは、奇数フィールドと偶数フィールドで構成され、奇数フィールドでは奇数表示ラインが表示され、偶数フィールドでは偶数表示ラインが表示される。従って、Ｚ電極は、奇数及び偶数表示ラインの中にそれぞれ存在する。ここでは、奇数番目のＸ電極と奇数番目のＹ電極の間に設けられたＺ電極を第１グループのＺ電極、奇数番目のＹ電極と偶数番目のＸ電極との間に設けられたＺ電極を第２グループのＺ電極、偶数番目のＸ電極と偶数番目のＹ電極の間に設けられたＺ電極を第３グループのＺ電極、偶数番目のＹ電極と奇数番目のＸ電極との間に設けられたＺ電極を第４グループのＺ電極と称する。言い換えれば、４ｐ＋１（ｐは自然数）番目のＺ電極は第１グループのＺ電極、４ｐ＋２番目のＺ電極は第２グループのＺ電極、４ｐ＋３番目のＺ電極は第３グループのＺ電極、４ｐ＋４番目のＺ電極は第４グループのＺ電極である。
【００５４】
図９に示すように、第２実施例のＰＤＰ装置は、アドレス電極を駆動するアドレス駆動回路２と、Ｙ電極に走査パルスを印加する走査回路３と、走査回路３を介して奇数番目のＹ電極に走査パルス以外の電圧を共通に印加する奇数Ｙ駆動回路４１と、走査回路３を介して偶数番目のＹ電極に走査パルス以外の電圧を共通に印加する偶数Ｙ駆動回路４２と、奇数番目のＸ電極に電圧を共通に印加する奇数Ｘ駆動回路５１と、偶数番目のＸ電極に電圧を共通に印加する偶数Ｘ駆動回路５２と、第１グループのＺ電極を共通に駆動する第１Ｚ駆動回路６１と、第２グループのＺ電極を共通に駆動する第２Ｚ駆動回路６２と、第３グループのＺ電極を共通に駆動する第３Ｚ駆動回路６３と、第４グループのＺ電極を共通に駆動する第４Ｚ駆動回路６４と、各部を制御する制御回路７とを有する。
【００５５】
第２実施例のＰＤＰは、Ｘバス電極とＹバス電極の両側にＸ放電電極及びＹ放電電極がそれぞれ設けられる点、Ｘバス電極とＹバス電極のすべての間にＺ電極が設けられる点を除けば、第１実施例と同じ構造を有するので、分解斜視図は省略する。なお、Ｚ電極は、図３のように、Ｘ及びＹ電極と同じ層に形成することも、図６に示すようにＸ及びＹ電極と異なる層に形成することも可能である。
【００５６】
図１０は、第３実施例の電極形状を示す図である。図示のように、Ｘバス電極１３とＹバス電極１５が等間隔で平行に配置され、その中央にＺ電極１６、１７が平行に配置されている。そして、バス電極１３、１５及び１７に対して垂直な方向に伸びる隔壁２３が配置されている。隔壁２３の間にはアドレス電極が配置される。隔壁２３で区切られた各部分には、Ｘバス電極１３から下側に伸びたＸ放電電極１２Ａと、Ｘバス電極１３から上側に伸びたＸ放電電極１２Ｂと、Ｙバス電極１５から上側に伸びたＹ放電電極１４Ａと、Ｙバス電極１５から下側に伸びたＹ放電電極１４Ｂと、Ｚバス電極１７から上下に伸びたＺ放電電極１６が設けられている。Ｘ放電電極１２Ａ及び１２Ｂ、Ｙ放電電極１４Ａ及び１４ＢとＺ放電電極１６の対向するエッジは、Ｘバス電極１３、Ｙバス電極１５及びＺバス電極１７の伸びる方向に対して平行である。
【００５７】
図１１及び図１２は、第３実施例のＰＤＰ装置の駆動波形を示す図であり、図１１は奇数フィールドの駆動波形を、図１２は偶数フィールドの駆動波形を示す。Ｘ電極、Ｙ電極及びアドレス電極に印加される駆動波形は特許文献６などに記載された駆動波形と同じであり、放電を行うＸ電極とＹ電極の間に設けられたＺ電極には図７及び図８に示した波形に類似した駆動波形が印加され、放電を行わないＸ電極とＹ電極の間に設けられたＺ電極には、放電の発生や放電の伝播を防止する駆動波形が印加される。まず、奇数フィールドの駆動波形について説明する。
【００５８】
リセット期間における駆動波形は第２実施例の駆動波形と同じであり、４つのグループのＺ電極には、図７に示したＺ電極に印加される駆動波形が印加される。これにより、リセット放電が発生し、全セルが均一な状態にされる。
【００５９】
アドレス期間の前半では、奇数番目のＸ電極Ｘ１及び第１グループのＺ電極Ｚ１に所定の電位（例えば＋Ｖｓ）を印加し、偶数番目のＸ電極Ｘ２、偶数番目のＹ電極Ｙ２及び第２から第４グループのＺ電極Ｚ２−Ｚ４を０Ｖにして、奇数番目のＹ電極Ｙ１に所定の負電位を印加した状態で更に走査パルス１０７を順次印加する。走査パルス１０７の印加に応じて、点灯するセルのアドレス電極にアドレスパルス１０８を印加する。これにより、走査パルスの印加された奇数番目のＹ電極Ｙ１とアドレスパルスの印加されたアドレス電極の間で放電が発生し、それをトリガとして奇数番目のＸ電極Ｘ１及び第１グループのＺ電極Ｚ１と奇数番目のＹ電極Ｙ１との間の放電が発生する。このアドレス放電により、奇数番目のＸ電極Ｘ１及び第１グループのＺ電極Ｚ１の近傍（誘電体層の表面）には負の壁電荷が形成され、奇数番目のＹ電極Ｙ１の近傍には正の壁電荷が形成される。走査パルス又はアドレスパルスの印加されないセルではアドレス放電は発生しないので、リセット時の壁電荷が維持される。アドレス期間の前半では、すべての奇数番目のＹ電極Ｙ１に順次走査パルスを印加して上記の動作を行う。
【００６０】
アドレス期間の後半では、偶数番目のＸ電極Ｘ２及び第３グループのＺ電極Ｚ３に所定の電位を印加し、奇数番目のＸ電極Ｘ１、奇数番目のＹ電極Ｙ１及び第１、第２及び第４グループのＺ電極Ｚ１、Ｚ２，Ｚ４を０Ｖにして、偶数番目のＹ電極Ｙ２に所定の負電位を印加した状態で更に走査パルス１０７を順次印加する。走査パルス１０７の印加に応じて、点灯するセルのアドレス電極にアドレスパルス１０８を印加する。これにより、走査パルスの印加された偶数番目のＹ電極Ｙ２とアドレスパルスの印加されたアドレス電極の間で放電が発生し、それをトリガとして偶数番目のＸ電極Ｘ２及び第３グループのＺ電極Ｚ３と偶数番目のＹ電極Ｙ２との間の放電が発生する。このアドレス放電により、偶数番目のＸ電極Ｘ２及び第３グループのＺ電極Ｚ３の近傍には負の壁電荷が形成され、偶数番目のＹ電極Ｙ２の近傍には正の壁電荷が形成される。アドレス期間の後半では、すべての偶数番目のＹ電極Ｙ２に順次走査パルスを印加して上記の動作を行う。
【００６１】
以上のようにして、奇数番目のＸ電極Ｘ１と奇数番目のＹ電極Ｙ１、及び偶数番目のＸ電極Ｘ２と偶数番目のＹ電極Ｙ２の間、すなわち奇数番目の表示ラインのアドレス動作が終了する。アドレス放電が行われたセルでは、奇数番目及び偶数番目のＹ電極Ｙ１、Ｙ２の近傍に正の壁電荷が形成され、奇数番目及び偶数番目のＸ電極Ｘ１、Ｘ２、第１及び第３グループのＺ電極Ｚ１、Ｚ３の近傍に負の壁電荷が形成されている。
【００６２】
維持放電期間では、まず、奇数番目のＸ電極Ｘ１及び偶数番目のＹ電極Ｙ２に電位−Ｖｓの負の維持放電パルス１３１及び１３５を、奇数番目のＹ電極Ｙ１及び偶数番目のＸ電極Ｘ２に電位＋Ｖｓの正の維持放電パルス１３３及び１３４を、第１グループのＺ電極Ｚ１に電位−Ｖｓの負のパルス１３２を、第４グループのＺ電極Ｚ４に電位−Ｖｓの負のパルス１３６を、第２及び第３グループのＺ電極Ｚ２及びＺ３に０Ｖを印加する。奇数番目のＸ電極Ｘ１及び第１グループのＺ電極Ｚ１では、負の壁電荷による電圧が電位−Ｖｓに重畳され、奇数番目のＹ電極Ｙ１では正の壁電荷による電圧が電位＋Ｖｓに重畳されて、それらの間に大きな電圧が印加される。これにより、まず間隔の狭い第１グループのＺ電極Ｚ１と奇数番目のＹ電極Ｙ１の間で放電が開始され、この放電をトリガとして、間隔の広い奇数番目のＸ電極Ｘ１と奇数番目のＹ電極Ｙ１の間の放電に移行する。この放電が終了すると、第２実施例と同様に第１グループのＺ電極Ｚ１に電位＋Ｖｓの正のパルス１３７が印加される。これにより、奇数番目のＸ電極Ｘ１の近傍に正の壁電荷が形成され、奇数番目のＹ電極Ｙ１及び第１グループのＺ電極Ｚ１の近傍に負の壁電荷が形成される。
【００６３】
この時、偶数番目のＸ電極Ｘ２及び第３グループのＺ電極Ｚ３では、負の壁電荷による電圧が電位＋Ｖｓに重畳され、偶数番目のＹ電極Ｙ２では正の壁電荷による電圧が電位−Ｖｓに重畳されるので、電極間の電圧が小さくなり放電は発生せず、壁電荷は維持される。
【００６４】
また、奇数番目のＹ電極Ｙ１と偶数番目のＸ電極Ｘ２には＋Ｖｓが、偶数番目のＹ電極Ｙ２と奇数番目のＸ電極Ｘ１には−Ｖｓが印加されるので放電は発生しない。奇数番目のＹ電極Ｙ１には電位Ｖｓが印加され、第２グループのＺ電極Ｚ２には０Ｖが印加され、奇数番目のＹ電極Ｙ１では正の壁電荷による電圧が重畳され、奇数番目のＹ電極Ｙ１と第２グループのＺ電極Ｚ２の間の電圧は大きくなるが、第２グループのＺ電極Ｚ２に印加される電圧は０Ｖである上、第２グループのＺ電極Ｚ２には壁電荷が形成されていないので、壁電荷による電圧は重畳されず、放電は発生しない。逆にいえば、第２グループのＺ電極Ｚ２に印加する電圧は、放電が発生しないような電圧に設定することが必要である。ただし、第２グループのＺ電極Ｚ２に印加する電圧は隣接する奇数番目のＹ電極Ｙ１及び偶数番目のＸ電極Ｘ２に印加される電圧＋Ｖｓより低いことが望ましい。これは、奇数番目のＸ電極Ｘ１と奇数番目のＹ電極Ｙ１の間で維持放電が発生すると、移動しやすい電子が奇数番目のＸ電極Ｘ１から奇数番目のＹ電極Ｙ１に向かって移動するが、もし第２グループのＺ電極Ｚ２の電圧が奇数番目のＹ電極Ｙ１の電圧と同じであると、電子はそのまま第２グループのＺ電極Ｚ２に向かって移動し、更に偶数番目のＸ電極Ｘ２にまで移動する。このようなことが発生すると、次に逆極性の維持放電パルスを印加すると誤放電を発生して表示エラーになる。これに対して、本実施例のように、第２グループのＺ電極Ｚ２の電圧を奇数番目のＹ電極Ｙ１の電圧より低くすれば、電子の移動を防止でき、隣接する表示ラインでの誤放電の発生を防止できる。
【００６５】
次に、奇数番目のＸ電極Ｘ１及び偶数番目のＹ電極Ｙ２に電位＋Ｖｓの正の維持放電パルス１３８及び１４５を、奇数番目のＹ電極Ｙ１及び偶数番目のＸ電極Ｘ２に電位−Ｖｓの負の維持放電パルス１４０及び１４２を、第１及び第３グループのＺ電極Ｚ１及びＺ３に電位−Ｖｓの負のパルス１３９及び１４３を、第２グループのＺ電極Ｚ２に−Ｖｓの負のパルス１４１を、第４グループのＺ電極Ｚ４に０Ｖのパルス１４６を印加する。奇数番目のＸ電極Ｘ１及び第１グループのＺ電極Ｚ１では、上記のように、前の維持放電により正の壁電荷が形成されており、それによる電圧が電位＋Ｖｓに重畳され、奇数番目のＹ電極Ｙ１では前の維持放電により負の壁電荷による電圧が電位−Ｖｓに重畳されて、それらの間に大きな電圧が印加される。更に、偶数番目のＸ電極Ｘ２及び第３グループのＺ電極Ｚ３では、アドレス終了時の負の壁電荷が維持されており、それによる電圧が電位−Ｖｓに重畳され、偶数番目のＹ電極Ｙ２ではアドレス終了時の正の壁電荷が維持されており、それによる電圧が電位＋Ｖｓに重畳されて、それらの間に大きな電圧が印加される。これにより、間隔の狭い第１グループのＺ電極Ｚ１と奇数番目のＹ電極Ｙ１の間及び第３グループのＺ電極Ｚ３と偶数番目のＹ電極Ｙ２の間で放電が開始され、この放電をトリガとして、間隔の広い奇数番目のＸ電極Ｘ１と奇数番目のＹ電極Ｙ１の間及び偶数番目のＸ電極Ｘ２と偶数番目のＹ電極Ｙ２の間の放電に移行する。この放電が終了すると、第１実施例と同様に第１及び第３グループのＺ電極Ｚ１及びＺ３に電位＋Ｖｓの正のパルス１４７及び１４８が印加される。これにより、奇数番目のＸ電極Ｘ１と第１グループのＺ電極Ｚ１及び偶数番目のＸ電極Ｘ２及び第３グループのＺ電極Ｚ３の近傍に正の壁電荷が形成され、奇数番目のＹ電極Ｙ１及び偶数番目のＹ電極Ｙ１及びＹ２の近傍に負の壁電荷が形成される。
【００６６】
この時、奇数番目のＹ電極Ｙ１と偶数番目のＸ電極Ｘ２及び第２グループのＺ電極Ｚ１との間には同じ電圧−Ｖｓが印加され、偶数番目のＹ電極Ｙ２と奇数番目のＸ電極Ｘ１との間には同じ電圧＋Ｖｓが印加されるので放電は発生しない。また、偶数番目のＹ電極Ｙ２と第４グループのＺ電極Ｚ４との間には電圧Ｖｓが印加されるが、前述のように放電は発生せず、隣接するセルで発生した電子の移動を阻止して誤放電の発生を防止する。
【００６７】
以下、極性を反転しながら維持放電パルスを印加し、各Ｚ電極にパルスを印加することにより維持放電が繰り返される。
【００６８】
上記のように、最初の維持放電は、奇数番目のＸ電極Ｘ１と奇数番目のＹ電極Ｙ１との間でのみ発生し、偶数番目のＸ電極Ｘ２と偶数番目のＹ電極Ｙ２との間では発生しないので、維持放電期間の終わりに、偶数番目のＸ電極Ｘ２と偶数番目のＹ電極Ｙ２との間でのみ維持放電が発生し、奇数番目のＸ電極Ｘ１と奇数番目のＹ電極Ｙ１との間では発生しないようにして、維持放電回数を一致させる。
【００６９】
以上奇数フィールドの駆動波形について説明した。偶数フィールドの駆動波形では、奇数及び偶数番目のＹ電極Ｙ１及びＹ２に奇数フィールドと同じ駆動波形を、奇数番目のＸ電極Ｘ１に奇数フィールドの偶数番目のＸ電極Ｘ２に印加した駆動波形を、偶数番目のＸ電極Ｘ２に奇数フィールドの奇数番目のＸ電極Ｘ１に印加した駆動波形を、第１グループのＺ電極Ｚ１に奇数フィールドの第２グループのＺ電極Ｚ２に印加した駆動波形を、第２グループのＺ電極Ｚ２に奇数フィールドの第１グループのＺ電極Ｚ１に印加した駆動波形を、第３グループのＺ電極Ｚ３に奇数フィールドの第４グループのＺ電極Ｚ４に印加した駆動波形を、第４グループのＺ電極Ｚ４に奇数フィールドの第３グループのＺ電極Ｚ３に印加した駆動波形を印加する。
【００７０】
以上第３実施例のＰＤＰ装置を説明したが、第１及び第２実施例で説明した変形例を第３実施例のＡＬＩＳ方式のＰＤＰ装置に適用することも可能である。
【産業上の利用可能性】
【００７１】
以上説明したように、本発明によれば、ＰＤＰの発光効率を向上させることができ、表示品質の良好なＰＤＰ装置を低コストで実現できるプラズマディスプレイパネルを提供できる。
【図面の簡単な説明】
【００７２】
【図１】本発明の第１実施例のＰＤＰ装置の全体構成を示す図である。
【図２】第１実施例のＰＤＰの分解斜視図である。
【図３】第１実施例のＰＤＰの断面図である。
【図４】第１実施例の電極形状を示す図である。
【図５】第１実施例の駆動波形を示す図である。
【図６】電極構造の変形例を示す図である。
【図７】第２実施例の駆動波形を示す図である。
【図８】第２実施例の維持放電期間における駆動波形の詳細を示す図である。
【図９】本発明の第３実施例のＰＤＰ装置の全体構成を示す図である。
【図１０】第３実施例の電極形状を示す図である。
【図１１】第３実施例の駆動波形（奇数フィールド）を示す図である。
【図１２】第３実施例の駆動波形（偶数フィールド）を示す図である。
【符号の説明】
【００７３】
１１    前面基板
１２    第１（Ｘ）放電電極
１３    第１（Ｘ）バス電極
１４    第２（Ｙ）放電電極
１５    第２（Ｙ）バス電極
１６    第３（Ｚ）放電電極
１７    第３（Ｚ）バス電極
１８    誘電体層
２０    背面基板
２１    アドレス電極
２２    誘電体層
２３    縦隔壁
【図１】
2006098503.tif 000003
【図２】
2006098503.tif 000004
【図３】
2006098503.tif 000005
【図４】
2006098503.tif 000006
【図５】
2006098503.tif 000007
【図６】
2006098503.tif 000008
【図７】
2006098503.tif 000009
【図８】
2006098503.tif 000010
【図９】
2006098503.tif 000011
【図１０】
2006098503.tif 000012
【図１１】
2006098503.tif 000013
【図１２】
2006098503.tif 000014